【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
対向した状態で離間して配置された一対の対向フレームと、
前記一対の対向フレームの対向方向に直交する直交方向に離間して配置され、前記一対の対向フレームを連結する一対の連結フレームと、
前記一対の連結フレームに掛止される一対の掛止部と、前記一対の掛止部の間に配置されるベース部と、前記ベース部の左右両側から左右外側かつ着座者側に向けて斜めに延びる左右の支持部とを有する板状部材と、を備え、
前記ベース部は、ベース延在部と、前記ベース延在部の前記直交方向の端から前記ベース延在部に対して斜めに延びる傾斜部とを有し、
前記左右の支持部は、前記ベース延在部および前記傾斜部の左右両側から延びていることを特徴とする乗物用シート。
【請求項２】
前記左右の支持部の着座者側の面、前記ベース延在部の着座者側の面、および、前記傾斜部の着座者側の面は、互いに連続して形成されていることを特徴とする請求項１に記載の乗物用シート。
【請求項３】
前記板状部材は、樹脂製であることを特徴とする請求項１または請求項２に記載の乗物用シート。
【請求項４】
前記一対の連結フレームに架設された架設線材をさらに備え、
前記架設線材は、前記一対の掛止部に対応した一対のフック状部を有し、前記板状部材に被覆されて前記板状部材と一体に形成されていることを特徴とする請求項３に記載の乗物用シート。
【請求項５】
前記架設線材は、全体が前記板状部材によって覆われていることを特徴とする請求項４に記載の乗物用シート。
【請求項６】
着座者側から見て前記架設線材と交差するように配置された補強線材をさらに備え、
前記架設線材と前記補強線材が交差する部分は、前記直交方向において、前記左右の支持部の前記直交方向における一端と、前記左右の支持部の前記直交方向における他端との間の領域に位置していることを特徴とする請求項４または請求項５に記載の乗物用シート。
【請求項７】
前記補強線材は、前記直交方向において、前記領域に配置されていることを特徴とする請求項６に記載の乗物用シート。
【請求項８】
前記補強線材は、前記直交方向に並ぶように設けられた２つの線材を含み、
前記２つの線材は、両方が、前記直交方向において、前記領域に配置されていることを特徴とする請求項６または請求項７に記載の乗物用シート。
【請求項９】
対向した状態で離間して配置された一対の対向フレームと、
前記一対の対向フレームの間に配置された板状部材と、を備え、
前記板状部材は、前記一対の対向フレームの間の、前記一対の対向フレームの対向方向における中央の位置に配置されたベース部と、前記ベース部の左右両側から左右外側かつ着座者側に向けて斜めに延びる左右の支持部とを有し、
前記ベース部は、ベース延在部と、前記ベース延在部の、前記対向方向に直交する直交方向の端から前記ベース延在部に対して斜めに延びる傾斜部とを有し、
前記左右の支持部は、前記ベース延在部および前記傾斜部の左右両側から延びていることを特徴とする乗物用シート。
【手続補正２】
【補正対象書類名】明細書
【補正対象項目名】０００５
【補正方法】変更
【補正の内容】
【０００５】
そこで、本発明は、着座フィーリングを良好なものとすることができる乗物用シートを提供することを目的とする。
また、支持部材の剛性を向上させることを目的とする。
また、センサの取付剛性を向上させることを目的とする。
また、他の部材を取り付けるための穴を容易に形成することを目的とする。
また、支持部材が複雑な構造となるのを抑制することを目的とする。
【手続補正３】
【補正対象書類名】明細書
【補正対象項目名】０００６
【補正方法】変更
【補正の内容】
【０００６】
前記した目的を達成するための乗物用シートは、対向した状態で離間して配置された一対の対向フレームと、前記一対の対向フレームの対向方向に直交する直交方向に離間して配置され、前記一対の対向フレームを連結する一対の連結フレームと、前記一対の連結フレームに掛止される一対の掛止部と、前記一対の掛止部の間に配置されるベース部と、前記ベース部の左右両側から左右外側かつ着座者側に向けて斜めに延びる左右の支持部とを有する板状部材と、を備え、前記ベース部は、ベース延在部と、前記ベース延在部の前記直交方向の端から前記ベース延在部に対して斜めに延びる傾斜部とを有し、前記左右の支持部は、前記ベース延在部および前記傾斜部の左右両側から延びていることを特徴とする。
前記した乗物用シートにおいて、前記左右の支持部の着座者側の面、前記ベース延在部の着座者側の面、および、前記傾斜部の着座者側の面は、互いに連続して形成されている構成とすることができる。
前記した乗物用シートにおいて、前記板状部材は、樹脂製である構成とすることができる。
前記した乗物用シートは、前記一対の連結フレームに架設された架設線材をさらに備え、前記架設線材は、前記一対の掛止部に対応した一対のフック状部を有し、前記板状部材に被覆されて前記板状部材と一体に形成されている構成とすることができる。
前記した乗物用シートにおいて、前記架設線材は、全体が前記板状部材によって覆われている構成とすることができる。
前記した乗物用シートは、着座者側から見て前記架設線材と交差するように配置された補強線材をさらに備え、前記架設線材と前記補強線材が交差する部分は、前記直交方向において、前記左右の支持部の前記直交方向における一端と、前記左右の支持部の前記直交方向における他端との間の領域に位置している構成とすることができる。
前記した乗物用シートにおいて、前記補強線材は、前記直交方向において、前記領域に配置されている構成とすることができる。
前記した乗物用シートにおいて、前記補強線材は、前記直交方向に並ぶように設けられた２つの線材を含み、前記２つの線材は、両方が、前記直交方向において、前記領域に配置されている構成とすることができる。
また、乗物用シートは、対向した状態で離間して配置された一対の対向フレームと、前記一対の対向フレームの間に配置された板状部材と、を備え、前記板状部材は、前記一対の対向フレームの間の、前記一対の対向フレームの対向方向における中央の位置に配置されたベース部と、前記ベース部の左右両側から左右外側かつ着座者側に向けて斜めに延びる左右の支持部とを有し、前記ベース部は、ベース延在部と、前記ベース延在部の、前記対向方向に直交する直交方向の端から前記ベース延在部に対して斜めに延びる傾斜部とを有し、前記左右の支持部は、前記ベース延在部および前記傾斜部の左右両側から延びていることを特徴とする。
また、乗物用シートは、対向した状態で離間して配置された一対の対向フレーム、および、前記一対の対向フレームの対向方向に直交する直交方向に離間して配置され、前記一対の対向フレームを連結する一対の連結フレームを有するフレーム部材と、前記一対の連結フレームに架設された架設線材と、着座者側から見て前記架設線材と交差するように配置された補強線材と、少なくとも前記架設線材と前記補強線材が交差する部分を前記架設線材と前記補強線材が接触しないように間隔をあけた状態で覆うとともに、前記架設線材と前記補強線材を連結する板状の樹脂部材と、を備えた構成とすることができる。
【手続補正４】
【補正対象書類名】明細書
【補正対象項目名】００２５
【補正方法】変更
【補正の内容】
【００２５】
また、架設線材および補強線材の一方の樹脂で覆われた第３部分を他方の樹脂で覆われた第１部分に対して非平行として樹脂でつなぐことで、支持部材の剛性を向上させることができる。
【手続補正５】
【補正対象書類名】明細書
【補正対象項目名】００２６
【補正方法】変更
【補正の内容】
【００２６】
また、樹脂部材に線材被覆部につながるリブを設けることで、支持部材の剛性を向上させることができる。
【手続補正６】
【補正対象書類名】明細書
【補正対象項目名】００２７
【補正方法】変更
【補正の内容】
【００２７】
また、リブとして、一端が線材被覆部につながり、他端に向けて突出量が徐々に小さくなる第１リブを含むことで、着座フィーリングをより良好なものとすることができる。
【手続補正７】
【補正対象書類名】明細書
【補正対象項目名】００２８
【補正方法】変更
【補正の内容】
【００２８】
また、リブとして、一端が架設線材被覆部につながり、他端が補強線材被覆部につながる第２リブを含むことで、支持部材の剛性をより向上させることができる。
【手続補正８】
【補正対象書類名】明細書
【補正対象項目名】００２９
【補正方法】変更
【補正の内容】
【００２９】
また、着座センサを隣り合う架設線材の間に配置することで、着座センサの取付剛性を向上させることができる。
【手続補正９】
【補正対象書類名】明細書
【補正対象項目名】００３０
【補正方法】変更
【補正の内容】
【００３０】
また、樹脂部材の線材を覆う部分を避けた位置に取付穴を設けることで、取付穴を容易に形成することができるとともに、支持部材が複雑な構造となるのを抑制することができる。
【手続補正１０】
【補正対象書類名】明細書
【補正対象項目名】００３１
【補正方法】変更
【補正の内容】
【００３１】
また、樹脂部材に屈曲部被覆部と屈曲部被覆部の端同士をつなぐ肉厚部を設けることで、支持部材の剛性を向上させることができる。
【手続補正１１】
【補正対象書類名】明細書
【補正対象項目名】００３２
【補正方法】変更
【補正の内容】
【００３２】
また、着座センサを屈曲部被覆部と肉厚部に囲まれた領域の内側に配置することで、着座センサの取付剛性を向上させることができる。